(57)【要約】【課題】従来、流量計測機器に関する検針システムは、何れも検針員がメータボックス等の覆蓋部を開けて所要事項を目視により確認し、或いは所要事項をハンディターミナルに入力しなければ検針結果情報をシステム的に取得することができない問題があった。【解決手段】検針対象となる流量計測機器のそれぞれに所要の個別情報を記憶させた無線ＩＣタグ１を設定し、機器内部に設けた制御用マイクロコンピュータ２とこの無線ＩＣタグとを接続して、リーダ／ライタ３の近接操作により検針操作と検針読み取りを行うようにして蓋を開閉せずに検針できるようにした。【選択図】図１
2006163551.tif 000002
【特許請求の範囲】
【請求項１】
検針対象となる流量計測機器のそれぞれに所要の個別情報を記憶させた無線ＩＣタグを設定し、機器内部に設けた制御用マイクロコンピュータとこの無線ＩＣタグとを接続して、リーダ／ライタの近接操作により検針操作と検針読み取りを行うことを特徴とする流量計測機器検針システム
【請求項２】
無線ＩＣタグを流量計測機器収容ボックスの蓋部に設定するように構成した請求項１記載の流量計測機器検針システム
【請求項３】
流量計測機器或いは配管機器に付設するバルブを電動バルブに設定し、リーダ／ライタの近接操作により電動バルブの開閉操作も合わせて行えるようにした請求項１又は請求項２記載の流量計測機器検針システム
【請求項４】
リーダ／ライタにスティック状に構成した受発信機構を取付け形成し、検針操作員が腰を曲げずに操作できるようにした検針操作スティック
【請求項５】
リーダ／ライタ本体に読み取りデータを表示若しくは印刷する表示部若しくは印刷機構、或いはその双方を備えるようにした請求項４記載の検針操作スティック
【発明の詳細な説明】
【技術分野】
【０００１】
本発明は、水道の量水器、電子メータ、ガスメータ等の流量計測機器に、機器内の制御用マイクロコンピュータと接続する無線ＩＣタグを設定して、無線ＩＣタグに記憶されたデータと無線ＩＣタグ作動後に取得するデータとを読み取ることによって、該データを表示若しくは印刷してボックスの外部から検針操作できるようにした流量計測機器検針システムと、これに用いる検針操作スティックに関するものである。
【背景技術】
【０００２】
従来、流量計測機器検針システムは、例えば特許文献１の発明のようにガスメータに記憶された積算値データをハンディターミナルからの無線周波数電波により送信させてハンディターミナル内に記憶させ、メータの管理番号、交換年月日等の管理データを記憶させて随時に読み出し書き込みを行うシステムが用いられてきている。
【０００３】
また、特許文献２の発明のように個別情報を記憶させたＲＦＩＤタグを各流量計に設け、ＲＦＩＤリーダライタを設けた電子計算機により、タグに記憶された個別情報をリーダライタにより電子計算機に読み込み、流量計の今回検針値を入力して前回検針値との差額を算出し、更に、今回検針値をタグに記憶させる検針システムも提案されている。
【特許文献１】特開２００１−１８４５８５号公報
【特許文献２】特開２００３−３２３６８６号公報
【発明の開示】
【発明が解決しようとする課題】
【０００４】
しかし、上記従来の検針システムは、何れも検針員がメータボックス等の覆蓋部を開けて所要事項を目視により確認し、或いは所要事項をハンディターミナルに入力しなければ検針結果情報をシステム的に取得することができない。
【０００５】
検針員は検針地域に赴き、所定の順序に従って各流量計を巡回して検針するので、メータボックス等の覆蓋部の開閉作業は極めて大きな体力の消耗となり、地平面に存在するメータボックスの確認のため、しゃがんだり立ったりする姿勢を何回も繰り返さなければならないため、疲労も激しい作業となっている。
【課題を解決するための手段】
【０００６】
本発明は上記した課題に対応しようとするものであり、検針対象となる流量計測機器のそれぞれに所要の個別情報を記憶させた無線ＩＣタグを設定し、機器内部に設けた制御用マイクロコンピュータとこの無線ＩＣタグとを接続して、リーダ／ライタの近接操作により検針操作と検針読み取りを行うようにした。
【０００７】
検針システムをこのように構成することにより、検針員は流量計の無線ＩＣタグが設定されている箇所にリーダ／ライタの発信機構を近接させるだけで、検針読み取りを行うことができ、覆蓋部の開閉作業を全く行わないで検針を行うことができる。
【０００８】
また、無線ＩＣタグを流量計測機器そのものではなく、流量計測機器収容ボックスの蓋部に設定するように構成し、リーダ／ライタの送受信効果を高めると共に、流量計測機器或いは配管機器に付設するバルブを電動バルブに設定し、リーダ／ライタの近接操作により電動バルブの開閉操作も合わせて行えるようにして検針作業以外にも活用できるようにした。
【０００９】
更に、リーダ／ライタにスティック状に構成した受発信機構を取付け形成し、検針操作員が腰を曲げずに操作できるようにし、加えてリーダ／ライタ本体に読み取りデータを表示若しくは印刷する表示部若しくは印刷機構、或いはその双方を備えるようにして、検針操作員が立ったままリーダ／ライタの近接操作を行って能率的に作業できるようにした。  
【実施例】
【００１０】
以下、本発明の実施例を図面を参照して説明する。１は無線ＩＣタグで、図１に示すように電子メータＡの上端部、或いは、図２に示すように量水器収容ボックスＢの蓋部に埋め込み設定され、電子メータＡの内部に設定された制御用マイクロコンピュータ２と接続されている。
【００１１】
無線ＩＣタグ１には予め各電子メータのシリアル番号等の個別情報が記憶されており、制御用マイクロコンピュータ２との接続により、無線ＩＣタグ作動後に制御用マイクロコンピュータ２に集積される情報が収拾記憶されるようになっている。
【００１２】
無線ＩＣタグには、電池搭載型と電池なし型とがあるが、本発明においてはリーダ／ライタの電池を活用し電池なし型を使用する方が有利である。
【００１３】
無線ＩＣタグ１にリーダ／ライタ３が近接されると、無線ＩＣタグのアンテナコイルとリーダ／ライタの送信アンテナコイル３２との間の電磁誘導作用により、無線ＩＣタグのアンテナコイルに電圧が誘起されて無線ＩＣタグが作動し、リーダ／ライタによる各電子メータのシリアル番号等の個別情報が読み取り確認、無線ＩＣタグに取得された制御用マイクロコンピュータ２からの所定データについてリーダ／ライタ側のＣＰＵ（セントラル・プロセッシッング・ユニット）と情報の交信が行われる。
【００１４】
この情報の交信により、制御用マイクロコンピュータ２を通じて無線ＩＣタグ１に蓄積された情報の読み取りが行われ、検針作業は終了する。
【００１５】
リーダ／ライタは通常リモコン型に構成したハンディターミナルが用いられるが、本発明においては図３に示すように本体部に検針、印刷、バルブ開閉の操作ボタン等と表示部を設け、受発信機構を内蔵したスティック３１を取付け形成したものである。
【００１６】
本発明は以上のように構成したので、覆蓋部の開閉作業を全く行なうことなく流量計の無線ＩＣタグが設定されている箇所にリーダ／ライタの発信機構を近接させるだけで、検針読み取りを行うことができ、検針員も立ったままの楽な姿勢で迅速かつ能率的に検針作業をすることができるものである。
【図面の簡単な説明】
【００１７】
【図１】本発明の実施例による流量計測機器検針システムを示すもので、電子メータの上端頂部に無線ＩＣタグを埋め込んだ状態を示すボックス部を縦断面とした電子メータの側面図
【図２】同じく、ボックスの蓋部に無線ＩＣタグを埋め込んだ状態を示す            ボックス部を縦断面とした電子メータの側面図
【図３】同じく、リーダ／ライタの正面図
【図４】同じく、リーダ／ライタの先端斜視図
【図５】同じく、リーダ／ライタと無線ＩＣタグ及び電子メータ制御部と            の関係を示す模式的説明図
【符号の説明】
【００１８】
１      無線ＩＣタグ
２      制御用マイクロコンピュータ
３      リーダ／ライタ
３１    リーダ／ライタのスティック部
３２    リーダ／ライタスティック先端のアンテナコイル
Ａ      電子メータ
Ｂ      量水器収容ボックス
【図１】
2006163551.tif 000003
【図２】
2006163551.tif 000004
【図３】
2006163551.tif 000005
【図４】
2006163551.tif 000006
【図５】
2006163551.tif 000007